(57)【要約】      （修正有）【課題】建物の内壁の剛性を向上するとともに、内壁の壁面を構成する面材の取付剛性を向上することができる内壁構造を提供する。【解決手段】建物の内壁１０は、内壁１０の内部に設けられる壁下地材２０と、内壁１０の幅方向端部１０Ａに設けられる上下に延出する第１部材２１と、第１部材２１と壁下地材２０との間に設けられる上下に延出する第２部材２２と、壁下地材２０と第１部材２１に対して固定され、内壁１０の壁面を構成する面材２３と、を有する。そして、第２部材２２は、第１部材２１よりも剛性が高い。【選択図】図３
2019173396.tif 000002
【特許請求の範囲】
【請求項１】
建物の内壁構造であって、
内壁の内部に設けられる壁下地材と、
前記内壁の幅方向端部に設けられる上下に延出する第１部材と、
前記第１部材と前記壁下地材との間に設けられる上下に延出する第２部材と、
前記壁下地材と前記第１部材に対して固定され、前記内壁の壁面を構成する面材と、を有し、
前記第２部材は、前記第１部材よりも剛性が高いことを特徴とする内壁構造。
【請求項２】
前記第１部材と前記第２部材は隣接し、固着具により互いに固定されていることを特徴とする請求項１に記載の内壁構造。
【請求項３】
前記第２部材と前記壁下地材は隣接し、固着具により互いに固定されていることを特徴とする請求項１又は２に記載の内壁構造。
【請求項４】
前記壁下地材は、
枠部材と、
前記枠部材に取り付けられる下地用面材と、を有し、
前記下地用面材は、前記第１部材と壁の厚み方向の位置が揃っていることを特徴とする請求項１乃至３のいずれかに記載の内壁構造。
【請求項５】
前記第１部材は、前記建物の開口部に設けられる枠体に近接して設けられることを特徴とする請求項１乃至４のいずれかに記載の内壁構造。
【請求項６】
前記枠体には、ドアが開閉可能に取り付けられることを特徴とする請求項５に記載の内壁構造。
【請求項７】
前記第２部材の上下端部を保持する保持部材を有することを特徴とする請求項１乃至６のいずれかに記載の内壁構造。
【請求項８】
前記第１部材は、木製であり、
前記第２部材は、金属製であることを特徴とする請求項１乃至７のいずれかに記載の内壁構造。
【発明の詳細な説明】
【技術分野】
【０００１】
本発明は、建物の内壁構造に関する。
【背景技術】
【０００２】
建物の内装の意匠性の向上や室内空間の有効利用のために、建物の内壁を薄くすることがある。こうした場合には、内壁の剛性が低下し、壁面が反る等の変形が生じることがある。
そこで、例えば特許文献１には、壁の幅方向の端部に鉄製の構造下地を設けて、壁の反りを防止することについて開示されている。
【先行技術文献】
【特許文献】
【０００３】
【特許文献１】特許第４０２３８９４号公報
【発明の概要】
【発明が解決しようとする課題】
【０００４】
しかしながら、内壁の幅方向の端部に鉄製の部材を設けると、内壁の壁面を構成する石膏ボード等の面材を幅方向の端部において固定することが困難となる。このように、従来技術では、面材の取り付け剛性が十分でないため、面材に反りが生じやすく、また面材が振動しやすくなってしまう。
【０００５】
本発明は上記の課題に鑑みてなされたものであって、その目的は、建物の内壁の剛性を向上するとともに、内壁の壁面を構成する面材を強固に固定することができる内壁構造を提供することにある。
【課題を解決するための手段】
【０００６】
上記課題は、本発明に係る内壁構造によれば、建物の内壁構造であって、内壁の内部に設けられる壁下地材と、前記内壁の幅方向端部に設けられる上下に延出する第１部材と、前記第１部材と前記壁下地材との間に設けられる上下に延出する第２部材と、前記壁下地材と前記第１部材に対して固定され、前記内壁の壁面を構成する面材と、を有し、前記第２部材は、前記第１部材よりも剛性が高いことにより解決される。
こうすることで、建物の内壁の剛性を向上できる。これにより、内壁の撓み、変形を抑制できる。
また、内壁の壁面を構成する面材を内壁の幅方向端部において固定できる。これにより、面材を強固に固定することができる。そのため、面材の変形や振動を抑制することができる。
すなわち、上記の建物によれば、建物の内壁の剛性を向上するとともに、内壁の壁面を構成する面材を強固に固定することができる。
【０００７】
上記の内壁構造において、前記第１部材と前記第２部材は隣接し、固着具により互いに固定されているとよい。
こうすることで、第１部材と第２部材を強固に固定できる。これにより、建物の内壁の剛性をより向上できる。
【０００８】
上記の内壁構造において、前記第２部材と前記壁下地材は隣接し、固着具により互いに固定されているとよい。
こうすることで、壁下地材と第２部材とを強固に固定できる。これにより、建物の内壁の剛性をより向上できる。
【０００９】
上記の内壁構造において、前記壁下地材は、枠部材と、前記枠部材に取り付けられる下地用面材と、を有し、前記下地用面材は、前記第１部材と壁の厚み方向の位置が揃っているとよい。
こうすることで、面材を壁下地材と第１部材が当接した状態で内側から支持することができる。これにより、面材の変形を抑制できる。
【００１０】
上記の内壁構造において、前記第１部材は、前記建物の開口部に設けられる枠体に近接して設けられるとよい。
こうすることで、開口部周辺の壁の剛性を向上できる。
【００１１】
上記の内壁構造において、前記枠体には、ドアが開閉可能に取り付けられるとよい。
こうすることで、ドアに近接して設けられる内壁により、ドアの開閉による衝撃、振動の発生を抑制できる。
【００１２】
上記の内壁構造において、前記第２部材の上下端部を保持する保持部材を有するとよい。
こうすることで、第２部材を上下方向に立てた状態に維持しやすくなる。これにより、第２部材を立てた状態に維持する労力を軽減して、第２部材の取り付けの作業性を向上できる。
【００１３】
上記の内壁構造において、前記第１部材は、木製であり、前記第２部材は、金属製であるとよい。
こうすることで、内壁の剛性を向上するとともに、第１部材に面材を固定しやすくなる。
【発明の効果】
【００１４】
本発明によれば、建物の内壁の剛性を向上するとともに、内壁の壁面を構成する面材を強固に固定することができる。
【図面の簡単な説明】
【００１５】
【図１】建物の開口部に設置されたドアの正面図である。
【図２】図１のII-II断面図である。
【図３】図２の部分拡大図である。
【図４】壁下地材の上下端部を保持する保持部材を示す図である。
【発明を実施するための形態】
【００１６】
以下、図１乃至図４を参照しながら、本発明の実施の形態（以下、本実施形態）に係る建物１の内壁１０の構造（内壁構造）について説明する。内壁１０は、建物１の内装であり、建物１内の空間を間仕切る壁である。なお、建物１は例えば戸建住宅、集合住宅、ビル等であり、特に限定されない。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれる。
【００１７】
図１に示されるように、建物１の開口部２には、ドアＤを取り付けるための枠体３が設置されている。
図２に示されるように、枠体３は、ドア取付部材３Ａと、戸当り部材３Ｂとを有している。ドア取付部材３Ａは、ドアＤが開閉可能に取り付けられる枠部材である。具体的には、ドア取付部材３Ａには、ドアＤの丁番Ｄ２が取り付けられ、これにより、ドアＤは、ドア取付部材３Ａに対して開閉可能となっている。
なお、ドア取付部材３Ａは、上下方向に延出する間仕切スタッド２５と当接し、釘、ねじ等の固着具４０により間仕切スタッド２５及び第１部材２１に対して固定されている。
また、戸当り部材３Ｂは、内壁１０の厚み方向（すなわち開口部２の出入り方向）についてのドアＤの移動を規制する部材である。すなわち、戸当り部材３Ｂは、ドアＤが戸当り部材３Ｂよりも開口部２の出入り方向前方側に移動することを規制するストッパーとして機能する。
なお、ドア取付部材３Ａと戸当り部材３Ｂとは、固着具４０により固定されるとともに、ドア取付部材３Ａと戸当り部材３Ｂとは接着剤が塗布され、互いが接合されている。
【００１８】
また、ドアＤにおいて、丁番Ｄ２と幅方向反対側の側面には開閉規制部材が設けられており、ハンドルＤ１に連動して開閉規制部材のドアＤから枠体３に向けての突出と収納が切り替わる。そして、開閉規制部材が枠体３から外れることでドアＤを開くことができ、開閉規制部材が枠体３に係合することでドアＤを閉じた状態に維持できる。
【００１９】
ここで、ドアＤを取り付けるための枠体３に隣接して、本実施形態に係る内壁１０が設けられる。なお、本実施形態では、ドアＤに対してハンドルＤ１に近い側の壁部に本発明に係る内壁構造を有する内壁１０を設けた例を説明するが、丁番Ｄ２に近い側の壁部にも同様の内壁構造を設けても構わない。
【００２０】
なお、以下において「内壁１０の幅方向」とは、内壁１０を正面から見た場合の水平方向に相当する。上記幅方向における左右とは、図１に示す視点から、内壁１０を見た際の左右にそれぞれ対応する。
また、「内壁１０の厚み方向」とは、内壁１０を正面から見た場合の前後方向に相当する。そして、上記厚み方向における前後とは、図１に示す視点から、内壁１０を見た際の前後にそれぞれ対応する。
そして、「内壁１０の上下方向」とは、内壁１０を正面から見た場合の鉛直方向に相当する。そして、上記の上下方向における上下とは、図１に示す視点から、内壁１０を見た際の上下にそれぞれ対応する。
【００２１】
＜内壁１０の構造＞
以下、内壁１０の構造の詳細について説明する。
図２及び図３に示されるように、内壁１０は、主な構成として、壁下地材２０、第１部材２１、第２部材２２、面材２３、竪枠２４、及び間仕切スタッド２５を有する。
【００２２】
壁下地材２０は、内壁１０の内部に設けられるパネル材である。具体的には、壁下地材２０は、枠部材２０Ａと、下地用面材２０Ｂとを備える。
枠部材２０Ａは、壁下地材２０の外枠を構成する木部材である。そして、下地用面材２０Ｂは、枠部材２０Ａの厚み方向の端部の位置にそれぞれ取り付けられ、内壁１０の幅方向と平行に配される板部材である。
このように壁下地材２０は、枠部材２０Ａと下地用面材２０Ｂとをパネル状に構成した部材となっている。
【００２３】
壁下地材２０は、内壁１０の幅方向において第２部材２２と、木製の間仕切スタッド２５に挟まれるように配置されている。そして、第２部材２２側の枠部材２０Ａから第２部材２２に向けてねじ等の固着具４０が打ち込まれて両者が固定される。
さらに、間仕切スタッド２５側の枠部材２０Ａから間仕切スタッド２５に向けてねじ等の固着具４０が打ち込まれて両者が固定される。
【００２４】
第１部材２１は、内壁１０の幅方向端部１０Ａに設けられ、上下に延出する部材である。具体的には、第１部材２１は、木製の角柱である。上記の幅方向端部１０Ａとは、内壁１０の幅方向における端面及びその周辺である。具体的には、幅方向端部１０Ａは、内壁１０において少なくとも壁下地材２０よりも幅方向外側に位置する部分である。
また、第１部材２１は、建物１の開口部２の枠体３に近接して設けられており、枠体３に対して固着具４０により固定されている。
具体的には、第１部材２１は、枠体３に隣接する下地材である竪枠２４に隣接して設けられる。
なお、本実施形態では、枠体３に隣接して竪枠２４を設けた例を示したが、竪枠２４を設けずに枠体３に隣接して第１部材２１を設けてもよい。
【００２５】
第２部材２２は、第１部材２１と壁下地材２０との間に設けられ、上下に延出する部材である。そして、第２部材２２は、第１部材２１よりも剛性が高く構成される。ここで「剛性」とは、曲げやねじりの力に対する、寸法変化（変形）のしづらさの度合いのことをいう。具体的には、第２部材２２は、金属製（例えば鋼製）の角パイプである。また、第２部材２２は、角パイプに限られず、Ｈ型鋼、Ｃ型鋼等の多様な形状の鋼材としてもよい。
また、第２部材２２の厚み方向の辺の長さは、第１部材２１の厚み方向の辺の長さ以下とする。
【００２６】
図３に示されるように、ドア取付部材３Ａ、竪枠２４、第１部材２１、第２部材２２を内壁１０の幅方向に並べて配置されている。ここで、第１部材２１と第２部材２２は隣接し、固着具４０により互いに固定されている。そして、ドア取付部材３Ａ、竪枠２４、及び第１部材２１には固着具４０が打ち込まれて、互いに固定される。
また、上述したように、第２部材２２は、内壁１０の幅方向において第１部材２１と反対側には、壁下地材２０が当接して配置され、両者は固着具４０により固定されている。
【００２７】
ここで、図４を参照しながら、第２部材２２の取り付け工程について説明する。
図４に示されるように、壁下地材２０に対して隣接する位置に保持部材３０が取り付けられる。具体的には、壁下地材２０に隣接する位置であって、天井及び床のそれぞれに対して保持部材３０が固定される。この保持部材３０は、断面がコ字形状をなし、第２部材２２の上端部２２Ａ及び下端部２２Ｂをそれぞれ保持可能となっている。
そして、保持部材３０により第２部材２２の上端部２２Ａ及び下端部２２Ｂを保持した状態で、第２部材２２と壁下地材２０とが固定される。
このように、第２部材２２の上下端部（上端部２２Ａと下端部２２Ｂ）を保持部材３０により保持することで、第２部材２２の保持を安定させることができる。これにより、第２部材２２の取り付けの作業性を向上できる。
【００２８】
また、図３に示されるように、竪枠２４、第１部材２１、第２部材２２、壁下地材２０、間仕切スタッド２５はそれぞれ内壁１０の厚み方向の端部の位置が略揃っている。そして、竪枠２４、第１部材２１、第２部材２２、壁下地材２０、間仕切スタッド２５に対して、内壁１０の厚み方向の両面に面材２３が取り付けられる。
【００２９】
ここで、面材２３は、内壁１０の壁面を構成する部材であり、具体的には石膏ボードである。そして、面材２３は、木製の第１部材２１、壁下地材２０、間仕切スタッド２５に対してねじ等の固着具４０を用いて固定される。
【００３０】
本実施形態に係る内壁１０は、幅方向端部１０Ａに木製の第１部材２１に加えて鋼製の第２部材２２を設けたことにより、内壁１０の剛性を向上できる。こうすることで、内壁１０の反りや、振動を抑制することができる。
また、内壁１０では、第２部材２２よりも内壁１０の幅方向外側に第１部材２１を配置するようにした。こうすることで、面材２３を木製の第１部材２１に固定することが可能となる。これにより、面材２３を内壁１０の幅方向の端付近で固定することが可能となり、面材２３の取り付け剛性を向上できる。そのため、内壁１０によれば、面材２３の反り、変形、振動を抑制することができる。
【００３１】
以上説明したように内壁１０を構成したことにより、ドアＤを取り付ける開口部２に隣接する壁であっても、ドアＤの開閉の振動による撓みや変形を抑制できる。
また、壁の上下方向の高さを高くしたり、壁の厚みを薄くしたりする場合には、壁の撓み、変形が生じやすくなるが、本発明に係る内壁構造によれば、壁の撓みや変形を抑制できる。そのため、本発明に係る内壁構造によれば、壁を薄くしたり、壁の高さを上げたりすることが可能である。
【００３２】
＜まとめ＞
以上説明した本実施形態に係る建物１の内壁１０の構造（内壁構造）の主な特徴は以下の通りである。
【００３３】
［１］本実施形態に係る建物１の内壁構造は、内壁１０の内部に設けられる壁下地材２０と、内壁１０の幅方向端部１０Ａに設けられる上下に延出する第１部材２１と、第１部材２１と壁下地材２０との間に設けられる上下に延出する第２部材２２と、壁下地材２０と第１部材２１に対して固定され、内壁１０の壁面を構成する面材２３と、を有する。そして、第２部材２２は、第１部材２１よりも剛性が高い。
こうすることで、建物１の内壁１０の剛性を向上できる。これにより、内壁１０の撓み、変形を抑制できる。
また、内壁１０の壁面を構成する面材２３を内壁１０の幅方向端部１０Ａにおいて固定できる。これにより、面材２３を強固に固定することができる。そのため、面材２３の変形や、振動を抑制することができる。
また、内壁１０の内部の剛性及び面材２３の固定を強固にすることにより、内壁１０の面剛性を高めることができる。
すなわち、上記の建物１によれば、建物１の内壁１０の剛性を向上するとともに、内壁１０の壁面を構成する面材２３を強固に固定することができる。
【００３４】
［２］上記の内壁構造において、第１部材２１と第２部材２２は隣接し、固着具４０により互いに固定されている。
こうすることで、第１部材２１と第２部材２２を強固に固定できる。これにより、建物１の内壁１０の剛性をより向上できる。
【００３５】
［３］上記の内壁構造において、第２部材２２と壁下地材２０は隣接し、固着具４０により互いに固定されている。
こうすることで、壁下地材２０と第２部材２２とを強固に固定できる。これにより、建物１の内壁１０の剛性をより向上できる。
【００３６】
［４］上記の内壁構造において、壁下地材２０は、枠部材２０Ａと、枠部材２０Ａに取り付けられる下地用面材２０Ｂと、を有し、下地用面材２０Ｂは、第１部材２１と壁の厚み方向の位置が揃っている。
こうすることで、面材２３を壁下地材２０と第１部材２１が当接した状態で内側から支持することができる。これにより、面材２３の変形を抑制できる。
【００３７】
［５］上記の内壁構造において、第１部材２１は、建物１の開口部２に設けられる枠体３に近接して設けられる。
こうすることで、開口部２周辺の内壁１０の剛性を向上できる。
【００３８】
［６］上記の内壁構造において、枠体３には、ドアＤが開閉可能に取り付けられるとよい。
こうすることで、ドアＤに近接して設けられる内壁の構造により、ドアＤの開閉による衝撃、振動の発生を抑制できる。
【００３９】
［７］上記の内壁構造において、第２部材２２の上下端部を保持する保持部材３０を有する。
こうすることで、第２部材２２を上下方向に立てた状態に維持しやすくなる。これにより、第２部材２２を立てた状態に維持する労力を軽減して、第２部材２２の取り付けの作業性を向上できる。
【００４０】
［８］上記の内壁構造において、第１部材２１は、木製であり、第２部材２２は、金属製である。
こうすることで、内壁１０の剛性を向上するとともに、第１部材２１に面材２３を固定しやすくなる。
【００４１】
＜その他の実施形態＞
本発明は、上記の実施形態に限定されるものではない。
例えば、上記の実施形態では第１部材２１と第２部材２２を隣接して配置したが、第１部材２１と第２部材２２との間には隙間が空いていてもよい。
また、上記の実施形態では、本発明に係る内壁構造を、ドアＤの開閉時の衝撃が大きいドアＤの可動側の端部と隣接する内壁１０に適用したが、丁番Ｄ２が取り付けられる側の壁にも同様に適用可能である。
【符号の説明】
【００４２】
１  建物
２  開口部
３  枠体
３Ａ  ドア取付部材
３Ｂ  戸当り部材
１０  内壁
１０Ａ  幅方向端部
２０  壁下地材
２０Ａ  枠部材
２０Ｂ  下地用面材
２１  第１部材
２２  第２部材
２２Ａ  上端部
２２Ｂ  下端部
２３  面材
２４  竪枠
２５  間仕切スタッド
３０  保持部材
４０  固着具
Ｄ  ドア
Ｄ１  ハンドル
Ｄ２  丁番
【図１】
2019173396.tif 000003
【図２】
2019173396.tif 000004
【図３】
2019173396.tif 000005
【図４】
2019173396.tif 000006